(57)【要約】      （修正有）【課題】地中に埋設されたスクリュ基礎杭において、軸心直交方向の耐力を向上できるスパイラル基礎杭ユニットを提供する。【解決手段】スクリュ基礎杭ユニットは、スクリュ基礎杭Ｙ及び杭頭ロックＺ構成する。杭頭ロックＺは、金属円筒本体１１及び金属円筒本体１１の軸心直交方向ＧＨに延出する複数の金属支持板片１２〜１５を有する。スクリュ基礎杭Ｙは、スクリュ金属平板２及び杭頭金属管１の一部１Ｂを地中ＣＨに埋設する。杭頭ロックＺにおいて、金属円筒本体１１は杭頭金属管１の外周に嵌め込まれ、地中ＣＨに埋設すると共に、金属円筒本体１１の内周面１１Ａを杭頭金属管１の一部１Ｂの外周面１Ｄに当接する。各金属支持板片１２〜１５は、金属円筒本体１１の埋設に伴って、地中ＣＨに埋設する。【選択図】図１０
0003181030.tif 000002
【実用新案登録請求の範囲】
【請求項１】
［Ａ］杭頭金属管、及び前記杭頭金属管の軸心方向の一端に連結されるスクリュ金属平板を有し、
前記杭頭金属管及び前記スクリュ金属平板を前記軸心方向に連続して配置するスクリュ基礎杭と、
［Ｂ］金属円筒本体、及び前記金属円筒本体の外周に形成され、前記金属円筒本体の軸心直交方向に延出する複数の金属支持板片を有し、
前記各金属支持板片を前記金属円筒本体の軸心周りに配置する杭頭ロックと、
を備え、
［Ｃ］前記スクリュ基礎杭は、
前記スクリュ金属平板を地中に捩じ込んで、前記スクリュ金属平板及び前記杭頭金属管の一部を前記地中に埋設すると共に、前記杭頭金属杭の一部以外を地面から突出し、
［Ｄ］前記杭頭ロックにおいて、
前記金属円筒本体は、前記杭頭金属管の外周に嵌め込まれ、前記地中に埋設されると共に、前記金属円筒本体の内周面を前記地中に埋設した前記杭頭金属管の外周面に当接し、
前記各金属支持板片は、
前記金属円筒本体の埋設に伴って、前記地中に埋設される
ことを特徴とするスクリュ基礎枠ユニット。
【請求項２】
［Ｈ］前記各金属支持板片は、
前記金属円筒本体の軸心周りにおいて、等角度を隔てて配置される
ことを特徴とする請求項１に記載のスクリュ基礎杭ユニット。
【請求項３】
［Ｉ］前記杭頭ロックは、
４枚の金属支持板片を有し、
［Ｊ］４枚の前記金属支持板片は、
前記金属円筒本体の外周に形成され、前記金属円筒本体の軸心直交方向に延出すると共に、
前記金属円筒本体の軸心周りにおいて、角度：９０°の間隔を隔てて配置される
ことを特徴とする請求項１又は２に記載のスクリュ基礎杭ユニット。
【請求項４】
杭頭金属管、及び前記杭頭金属管の軸方向の一端に連結されるスクリュ金属平板杭を有し、前記スクリュ金属平板及び前記杭頭金属管の一部を地中に埋設し、前記杭頭金属管の一部以外を地面から突出するスクリュ基礎杭において、
［ａ］金属円筒本体と、
［ｂ］前記金属円筒本体の外周に形成され、前記金属円筒本体の軸心直交方向に延出する複数の金属支持板片と、
を備え、
［ｃ］前記金属円筒本体は、
前記杭頭金属管の外周に嵌め込まれ、前記地中に埋設され、
金属円筒本体の内周面を前記地中に埋設した前記杭頭金属管の一部の外周面に当接し、
［ｄ］前記各支持板片は、
前記金属円筒本体の軸心周りに配置され、
前記金属円筒本体の埋設に伴って、前記地中に埋設される
ことを特徴とする杭頭ロック。
【請求項５】
［ｅ］前記各金属支持板片は、
前記金属円筒本体の軸心周りにおいて、等角度を隔てて配置される
ことを特徴とする請求項４に記載の杭頭ロック。
【請求項６】
［ｆ］４枚の金属支持板片を備え、
［ｇ］４枚の前記金属支持板片は、
前記金属円筒本体の外周に形成され、前記金属円筒本体の軸心直交方向に延出すると共に、
前記金属円筒本体の軸心周りにおいて、角度：９０°の間隔を隔てて配置される
ことを特徴とする請求項４又は６に記載の杭頭ロック。
【考案の詳細な説明】
【技術分野】
【０００１】
本考案は、地中に埋設されたスクリュ基礎杭において、スクリュ基礎杭の軸心直交方向（水平方向）の耐力を向上できるスクリュ基礎杭ユニット、及び杭頭ロックに関する。
【背景技術】
【０００２】
スクリュ基礎杭として、特許文献１は、捩り平鋼及びパイプでなるスパイラル杭を開示する。スパイラル杭は、パイプの軸心方向において、捩り平鋼をパイプの一軸端に溶接等で接合して、軸心方向に、パイプ及び捩り平鋼を連続して配置する。
特許文献１では、捩り平鋼を地中に捩じ込み、捩り平鋼及びパイプの一部を地中に埋設し、パイプの一部以外を地面から突出する（図２参照）。
【０００３】
特許文献１では、捩り平鋼を地中に捩じ込むことで、スパイラル杭の軸心方向の耐力（抜け力）を確保できるものの、軸心直交方向（水平方向）の耐力は脆弱であり、地面から突出するパイプに対して軸心直交方向（水平方向）に力が作用すると、スパイラル杭が軸心直交方向（水平方向）に傾斜して倒れ込む虞がある。
【先行技術文献】
【特許文献】
【０００４】
【特許文献１】特開２００３−３２８３５４号公報
【考案の概要】
【考案が解決しようとする課題】
【０００５】
本考案は、地中に埋設されたスクリュ基礎杭において、スクリュ基礎杭の軸心直交方向（水平方向）の耐力を向上できるスクリュ基礎杭ユニット、及び杭頭ロックを提供することにある。
【課題を解決するための手段】
【０００６】
本考案に係る請求項１は、杭頭金属管、及び前記杭頭金属管の軸心方向の一端に連結されるスクリュ金属平板を有し、前記杭頭金属管及び前記スクリュ金属平板を前記軸心方向に連続して配置するスクリュ基礎杭と、金属円筒本体、及び前記金属円筒本体の外周に形成され、前記金属円筒本体の軸心直交方向に延出する複数の金属支持板片を有し、前記各金属支持板片を前記金属円筒本体の軸心周りに配置する杭頭ロックと、を備え、前記スクリュ基礎杭は、前記スクリュ金属平板を地中に捩じ込んで、前記スクリュ金属平板及び前記杭頭金属管の一部を前記地中に埋設すると共に、前記杭頭金属管の一部以外を地面から突出し、前記杭頭ロックにおいて、前記金属円筒本体は、前記杭頭金属管の外周に嵌め込まれて、前記地中に埋設されると共に、前記金属円筒本体の内周面を前記地中に埋設した前記杭頭金属管の一部の外周面に当接し、前記各金属支持板片は、前記金属円筒本体の埋設に伴って、前記地中に埋設されることを特徴とするスクリュ基礎杭ユニットに関する。
【０００７】
本考案に係る請求項２は、前記各金属支持板片は、前記金属円筒本体の軸心周りにおいて、等角度を隔てて配置されることを特徴とする請求項１に記載のスクリュ基礎杭ユニットに関する。
【０００８】
本考案に係る請求項３は、前記杭頭ロックは、前記金属支持板片を４枚有し、４枚の前記各金属支持板片は、前記金属円筒本体の外周に形成され、前記金属円筒本体の軸心直交方向に延出すると共に、前記金属円筒本体の軸心周りにおいて、角度：９０°の間隔を隔てて配置されることを特徴とする請求項１又は２に記載のスクリュ基礎杭ユニットに関する。
【０００９】
本考案に係る請求項４は、杭頭金属管、及び前記杭頭金属管の軸心方向の一端に連結されるスクリュ金属平板を有し、前記スクリュ金属平板及び前記杭頭金属管の一部を地中に埋設し、前記杭頭金属管の一部以外を地面から突出するスクリュ基礎杭において、金属円筒本体と、前記金属円筒本体の外周に形成され、前記金属円筒本体の軸心直交方向に延出する複数の金属支持板片と、を備え、前記金属円筒本体は、前記杭頭金属管の外周に嵌め込まれて、前記地中に埋設されると共に、前記金属円筒本体の内周面を前記地中に埋設した前記杭頭金属管の一部の外周面に当接し、前記各金属支持板片は、前記金属円筒本体の軸心周りに配置され、前記金属円筒本体の埋設に伴って、前記地中に埋設されることを特徴とする杭頭ロックに関する。
【００１０】
本考案に係る請求項５は、前記各金属支持板片は、前記金属円筒本体の軸心周りにおいて、等角度を隔てて配置されることを特徴とする請求項６に記載の杭頭ロックに関する。
【００１１】
本考案に係る請求項６は、前記金属支持板片を４枚備え、４枚の前記金属支持板片は、前記金属円筒本体の外周に形成され、前記金属円筒本体の軸心直交方向に延出すると共に、前記金属円筒本体の軸心周りにおいて、角度：９０°の間隔を隔てて配置されることを特徴とする請求項４又は５に記載の杭頭ロックに関する。
【考案の効果】
【００１２】
本考案に係る請求項１では、スクリュ基礎杭において、スクリュ金属平板を地中に捩じ込んで、スクリュ金属平板及び杭頭金属管の一部を地中に埋設すると共に、杭頭金属管の一部以外（他部）を地面から突出する。一方、杭頭ロックにおいて、金属円筒本体は、地中に埋設したスクリュ基礎杭に対して、杭頭金属管の外周に嵌め込まれ、地中に埋設される。各金属支持片は、金属円筒本体の埋設に伴って、地中に埋設される。
杭頭ロックは、地中の埋設に伴って、金属円筒本体の内周面を地中に埋設した杭頭金属管の一部の外周面に当接する。
杭頭ロックは、地中に埋設されるので、地中の砂礫等で地中に固定支持される。一方、スクリュ基礎杭は、杭頭金属管の一部が金属円筒本体に当接され、金属円筒本体及び各金属支持板片で地中に支持される。
従って、地面から突出する杭頭金属管に対して、軸心直交方向（水平方向）に力が作用しても、スクリュ基礎杭（杭頭金属管）は、軸心直交方向に延出する各金属支持板片で地中の砂礫等に支持され、スクリュ基礎杭の軸心直交方向（水平方向）の傾斜（倒れ込み）を規制できる。これにより、スクリュ基礎杭において、地中に埋設される杭頭ロックによって、軸心直交方向（水平方向）の耐力を向上できる。
【００１３】
本考案に係る請求項２では、各金属支持板片を金属円筒本体の軸心周りにおいて、均等角度を隔てて配置する。
これにより、スクリュ基礎杭は、軸心周りにおいて、各金属支持板片によって地中の砂礫等に支持される。従って、地面から突出する杭頭金属管に対して、軸心直交方向に力が作用しても、スクリュ基礎杭の軸心直交方向の傾斜（倒れ込み）は、金属円筒本体の軸心周りに均等配置した各金属支持板片によって規制され、スクリュ基礎杭の水平方向の耐力を向上できる。
【００１４】
本考案に係る請求項３では、杭頭ロックは、４枚の金属支持板片を有し、各金属支持板片は金属円筒本体の軸心周りにおいて、角度：９０°を隔てて均等配置される。
これにより、スクリュ基礎杭は、互いに直交する２方の軸心直交方向に配置された各金属支持板片によって地中の砂礫等に支持される。
従って、スクリュ基礎杭は、互いに直交する２方の軸心直交方向（水平方向）の耐力を向上できる。
【００１５】
本考案に係る請求項４では、杭頭ロックにおいて、金属円筒本体は、地中に埋設したスクリュ基礎杭に対して、地面から突出する杭頭金属管の外周に嵌め込まれ、地中に埋設される。各金属支持片は、金属円筒本体の埋設に伴って、地中に埋設される。
杭頭ロックは、地中の埋設に伴って、金属円筒本体の内周面を地中に埋設した杭頭金属管の一部の外周面に当接する。
杭頭ロックは、地中に埋設されるので、地中の砂礫等で地中に固定支持される。一方、スクリュ基礎杭は、杭頭金属管の一部が金属円筒本体に当接され、金属円筒本体及び各金属支持板片で地中に支持される。
従って、地面から突出する杭頭金属管に対して、軸心直交方向（水平方向）に力が作用しても、スクリュ基礎杭（杭頭金属管）は、軸心直交方向に延出する各金属支持板片で地中の砂礫等に支持され、スクリュ基礎杭の軸心直交方向（水平方向）の傾斜（倒れ込み）を規制できる。これにより、スクリュ基礎杭において、地中に埋設される杭頭ロック及び地中の砂礫等によって、軸心直交方向（水平方向）の耐力を向上できる
【００１６】
本考案に係る請求項５では、各金属支持板片を金属円筒本体の軸心周りにおいて、均等角度を隔てて配置する。
これにより、スクリュ基礎杭は、軸心周りにおいて、各金属支持板片によって地中の砂礫等に支持される。従って、地面から突出する杭頭金属管に対して、軸心直交方向に力が作用しても、スクリュ基礎杭の軸心直交方向の傾斜（倒れ込み）は、金属円筒本体の軸心周りに均等配置した各金属支持板片によって規制され、スクリュ基礎杭の水平方向の耐力を向上できる。
【００１７】
本考案に係る請求項６では、４枚の金属支持板片を備え、各金属支持板片は金属円筒本体の軸心周りにおいて、角度：９０°を隔てて均等配置される。
これにより、スクリュ基礎杭は、互いに直交する２方の軸心直交方向に配置された各金属支持板片によって地中の砂礫等に支持される。
従って、スクリュ基礎杭は、互いに直交する２方の軸心直交方向（水平方向）の耐力を向上できる。
【図面の簡単な説明】
【００１８】
【図１】本考案に係るスクリュ基礎杭ユニットであって、スクリュ基礎杭及び杭頭ロックの正面図である。
【図２】スクリュ基礎杭であって、（ａ）は側面図、（ｂ）は図１のＡ−Ａ矢視図、（ｃ）は図１のＢ−Ｂ断面図である。
【図３】スクリュ金属平板の正面図である。
【図４】杭頭ロックであって、（ａ）は図１のＣ−Ｃ断面図、（ｂ）は上面図、（ｃ）は底面図である。
【図５】スクリュ基礎杭をインパクトレンチで地中に捩じ込む状態を示す一部断面正面図である。
【図６】スクリュ基礎杭において、スクリュ金属平板及び杭頭金属管の一部を地中に埋設した状態を示す正面図である。
【図７】スクリュ基礎杭の杭頭金属管に杭頭ロックを装着した状態を示す図であって、（ａ）は要部拡大図、（ｂ）は図７（ａ）のＤ−Ｄ矢視図である。
【図８】杭頭金属管に装着した杭頭ロックを打撃する要部拡大正面図である。
【図９】杭頭ロックの金属円筒本体、及び各金属支持板片を地中に埋設した要部拡大正面図である。
【図１０】杭頭ロックの金属円筒本体、及び各金属支持板を地中に埋設した図であって、（ａ）は断面要部拡大図、（ｂ）は図９のＥ−Ｅ断面図である。
【考案を実施するための形態】
【００１９】
本考案に係るスクリュ基礎杭ユニット、及び杭頭ロックについて、図１乃至図１０を参照して説明する。
【００２０】
図１乃至図４において、スクリュ基礎杭ユニット（Ｘ）は、スクリュ基礎杭（Ｙ）及び杭頭ロック（Ｚ）を備えている。
【００２１】
＜スクリュ基礎杭（Ｙ）＞
図１乃至図３において、スクリュ基礎杭（Ｙ）は、杭頭金属管（１）及びスクリュ金属平板（２）を有する。
杭頭金属管（１）及びスクリュ金属平板（２）は、ステンレス鋼又はアルミニウム合金等で形成される。
【００２２】
杭頭金属管（１）は、図１及び図２に示すように、例えば、円筒に形成される。
杭頭金属管（１）は、軸心方向（ＧＶ）において、一軸端（１ａ）に開口して、他軸端（１ｂ）を閉塞する。
杭頭金属管（１）は、複数の切欠溝（３Ａ），（３Ｂ）、及び捩込用穴（５）を形成してなる。
【００２３】
複数の切欠溝（３Ａ），（３Ｂ）は、図１及び図２に示すように、杭頭金属管（１）周壁（１Ａ）に形成され、軸心方向（α）で一軸端（１ａ）に開口する。各切欠溝（３Ａ），（３Ｂ）は、軸心（α）周りに角度：９０°の間隔を隔てて配置される。
各切欠溝（３Ａ），（３Ｂ）は、軸心方向（ＧＶ）に直交する方向（ＧＨ：以下「軸心直交方向ＧＨ」と称する。）で杭頭金属管（１）周壁（１Ａ）を挿通（貫通）しつつ、軸心方向（ＧＶ）に延設される。
【００２４】
捩込用穴（５）は、図１及び図２に示すように、杭頭金属管（１）の他軸端（１ｂ）側に形成され、軸心直交方向（ＧＨ）で杭頭金属管（１）を挿通（貫通）している。
【００２５】
杭頭金属管（１）は、図１及び図２に示すように、連結ボルト（６）を有する。
連結ボルト（６）は、杭頭金属管（１）の他軸端（１ｂ）に連結され、軸心方向（ＧＶ）に突出している。
【００２６】
スクリュ金属平板（２）は、図１及び図３に示すように、杭金属平板部（７）及び捩り金属平板部（８）で構成される。
杭金属平板部（７）及び捩り金属平板部（８）は、スクリュ金属平板（２）の板長方向（ＰＶ）に連続して一体形成される。
捩り金属平板部（８）は、板長方向（ＰＶ）に直交する板幅方向（ＰＨ）の中心（β）周りに複数捩られて形成される。
捩り金属平板部（８）の捩り間ピッチ（ＮＰ）は、図３に示すように、板長方向（ＰＶ）において、板端（８ａ）側で狭く、杭金属平板（７）側の板端（８ｂ）で広くなる。
なお、捩り金属平板部（８）の捩り間ピッチ（ＮＰ）を均等間隔にする構成であっても良い。
【００２７】
スクリュ金属平板（２）は、杭頭金属管（１）の軸心方向（ＧＶ）の一軸端（１ａ）に連結される。
杭金属平板部（７）は、図１及び図２に示すように、軸心方向（ＧＶ）から各切欠溝（３Ａ），（３Ｂ）内に挿入され、スクリュ金属平板（２）及び杭頭金属管（１）を一体化する。杭金属平板部（７）及び杭頭金属管（１）は、各切欠溝（３Ａ），（３Ｂ）に沿って溶接等で接合する。
これにより、スクリュ金属基礎杭（２）は、杭頭金属管（１）及びスクリュ金属平板（２）を軸心方向（ＧＶ）に連続して配置する（図１参照）。
【００２８】
スクリュ基礎杭（Ｙ）は、スクリュ金属平板（２）を地中（ＣＨ）に捩じ込んで、スクリュ金属平板（２）及び杭頭金属管（１）の一部（１Ｂ）を地中（ＣＨ）に埋設すると共に、杭頭金属管（１）の一部（１Ｂ）以外［他部（１Ｃ）］を地面（ＣＳ）から突出する（図５及び図６参照）。
なお、地中（ＣＨ）は、例えば、岩、泥、粘土、砂礫等（以下、「砂礫等」と称する）で構成される。
【００２９】
＜杭頭ロック（Ｚ）＞
図1及び図４において、杭頭ロック（８）は、金属円筒本体（１１）、及び複数（４枚）の金属支持板片（１２），（１３），（１４），（１５）を有する。
金属円筒本体（１１）及び各金属支持板片（１２）〜（１５）は、スクリュ基礎杭（Ｙ）と同一材料であって、ステンレス鋼又はアルミニウム合金等で形成される。
【００３０】
金属円筒本体（１１）は、軸心方向（ｇｖ）において、両軸端（１１ａ），（１１ｂ）に開口する。
【００３１】
複数の金属支持板片（１２）〜（１４）は、金属円筒本体（１１）の外周に形成される。各金属支持板片（１２）〜（１５）は、軸心方向（ｇｖ）に直交する方向（ｇｈ１，ｇｈ２：以下「軸心直交方向（ｇｈ１），（ｇｈ２）」と称する。）に延出する。なお、軸心直交方向（ｇｈ１）は、図４（ｂ）及び図４（ｃ）に示すように、軸心直交方向（ｇｈ２）に直交する。
各金属支持板片（１２）〜（１５）は、金属円筒本体（１１）の軸心（γ）周りにおいて、角度：９０°の間隔を隔てて均等配置される。
これにより、各金属支持板片（１２）〜（１５）は、互いに直交する２方の軸心直交方向（ｇｈ１），（ｇｈ２）に配置される。各金属支持板片（１２），（１３）は、各金属支持板片（１４），（１５）に直交する。
各金属支持板片（１２）〜（１５）は、軸心方向（ｇｖ）において、金属円筒本体（１１）の両端（１１ａ），（１１ｂ）間に延出する。
【００３２】
各金属支持板片（１２）〜（１５）は、金属円筒本体（１１）の一軸端（１１ａ）側に開先（１２Ａ），（１３Ａ），（１４Ａ），（１５Ａ）を有している。各開先（１２Ａ）〜（１５Ａ）は、図１及び図４に示すように、軸心方向（ｇｖ）において、各金属支持板片（１２）〜（１５）の板端（１２ａ），（１３ａ），（１４ａ），（１５ａ）に向けて鋭角に形成される。
各開先（１２Ａ）〜（１５Ａ）は、図４に示すように、軸心直交方向（ｇｈ１），（ｇｈ２）に延設され、金属円筒本体（１１）まで形成される。
【００３３】
杭頭ロック（８）において、金属円筒本体（１１）は、杭頭金属管（１）の外周に嵌め込まれて、地中（ＣＨ）に埋設される（図９及び図１０参照）。
金属円筒本体（１１）は、内周面（１１Ａ）を地中（ＣＨ）に埋設した杭頭金属管（１）の外周面（１Ｄ）に当接する（図９及び図１０参照）。
金属円筒本体（１１）の内径寸法（ｄ）は、図１に示すように、杭頭金属管（１）の外径寸法：Ｄに対して、杭頭金属管（１）の外周面（１Ｄ）に当接しつつ、杭頭金属管（１）の外周に嵌め込める寸法とする。
各金属支持板片（１２）〜（１５）は、金属円筒本体（１１）の埋設に伴って、地中（ＣＨ）に埋設される（図９及び図１０参照）。
【００３４】
＜施工手順＞
次に、スクリュ基礎杭（Ｙ）及び杭頭ロック（Ｚ）の施工手順（施工方法）について、図５乃至図１０を参照して説明する。
【００３５】
スクリュ基礎杭（Ｙ）及び杭頭ロック（Ｚ）は、例えば、建設（建築）・土木現場で使用される。建設（建築）・土木現場では、複数のスクリュ基礎杭（Ｙ），（Ｙ），…を用いて、ソーラパネル（図示しない）等を支持する。
【００３６】
建設（建築）・土木現場の作業者は、図５に示すように、例えば、インパクトレンチ（ＴＫ）を用いて、スクリュ基礎杭（Ｙ）のスクリュ金属平板（２）を地中（ＣＨ）に捩じ込む。インパクトレンチ（ＴＫ）は、電気又は圧縮空気を動力源として内蔵モータ（図示しない）を回転駆動するもので、回転筒軸（ＴＫ１）を有している。回転筒軸（ＴＫ１）は、上記内蔵モータ（図示しない）で回転され、軸心直交方向（ＧＨ）で回転筒軸（ＴＫ）を挿通（貫通）する連結穴（１０１）を有する。
【００３７】
作業者は、図５に示すように、インパクトレンチ（ＴＫ）の回転筒軸（ＴＫ１）を杭頭金属管（１）の他軸端（１ｂ）側に被せて、回転筒軸（ＴＫ１）内に杭頭金属管（１）の一部を収納する。
【００３８】
続いて、作業者は、連結用軸（１０２）を連結用穴（１０１）及び捩込用穴（５）に挿通して、回転筒軸（ＴＫ１）及び杭頭金属管（１）を連結する。
そして、作業者は、クスリュ金属平板（２）の板端（８ａ）を地面（ＣＳ）に押付ける。
これにより、スクリ金属平板（２）は、押付け又は自重によって、地中（ＣＨ）に押込まれ、スクリュ基礎杭（Ｙ）を地面（ＣＳ）に位置決めする。
【００３９】
続いて、作業者は、図５に示すように、インパクトレンチ（ＴＫ）を地面（ＣＳ）に押付けつつ内蔵モータ（図示しない）を回転駆動し、回転筒軸（ＴＫ１）を通してスクリュ基礎杭（Ｙ）を回転する。
これにより、スクリュ基礎杭（Ｙ）は、図５及び図６に示すように、インパクトレンチ（ＴＫ）の回転によって、スクリュ金属平板（２）を地中（ＣＨ）に捩じ込んで、スクリュ金属平板（２）及び杭頭金属管（１）の一部（１Ｂ）を地中（ＣＨ）に埋設する。また、杭頭金属管（１）の一部（１Ｂ）以外［他部（１１Ｃ）］は、軸心方向（ＧＶ）において、地面（ＣＳ）から突出する。
【００４０】
作業者は、スクリュ基礎杭（Ｙ）を地中（ＣＨ）に埋設すると、インパクトレンチ（ＴＫ）をスクリュ基礎杭（Ｙ）から取外す。
【００４１】
続いて、作業者は、図７に示すように、杭頭ロック（Ｚ）をスクリュ基礎杭（Ｙ）に装着する。
杭頭ロック（Ｚ）において、金属円筒本体（１１）は、図７に示すように、一軸端（１１ａ）から杭頭金属管（１）の外周に嵌め込まれ、一軸端（１１ａ）を地面（ＣＳ）に当接する。
また、各金属支持板片（１２）〜（１５）は、図７に示すように、板端（１２ａ）〜（１５ａ）を地面（ＣＳ）に当接する。
これにより、各開先（１２Ａ）〜（１５Ａ）は、地面（ＣＳ）に対峙される。
【００４２】
作業者は、図８に示すように、杭頭ロック（Ｚ）において、各金属支持板片（１２）〜（１５）を、例えば打撃して、金属円筒本体（１１）及び各金属支持板片（１２）〜（１５）を地中（ＧＨ）に打ち込む。
このとき、各金属支持板片（１２）〜（１５）は、開先（１２Ａ）〜（１５Ａ）によって容易に地中（ＣＨ）に打ち込まれる。
【００４３】
作業者は、図９及び図１０に示すように、各金属支持板片（１２）〜（１５）の打撃等によって、杭頭ロック（Ｚ）全体を地中（ＣＨ）に打ち込む。
これにより、金属円筒本体（１１）は、地中（ＣＨ）に埋設されると共に、金属円筒本体（１１）の内周面（１１Ａ）を地中（ＣＨ）に埋設した杭頭金属管（１）の一部（１Ｂ）の外周面（１Ｄ）に当接する。また、各金属支持板片（１２）〜（１５）は、金属円筒本体（１１）の埋設に伴って、地中（ＣＨ）に埋設される。
【００４４】
杭頭ロック（Ｚ）は、図９及び図１０に示すように、地中（ＣＨ）に埋設されるので、地中（ＣＨ）の砂礫等で固定支持される。
一方、スクリュ基礎杭（Ｙ）は、杭頭金属管（１）の一部（１Ｂ）が金属円筒本体（１１）に当接され、金属円筒本体（１１）及び各金属支持板片（１２）〜（１５）で地中（ＣＨ）に支持される。
そして、地面（ＣＳ）から突出する杭頭金属管（１）の一部（１Ｂ）以外［他部（１Ｃ）］に対して、軸心直交方向（ＧＨ：水平方向）に力が作用しても、杭頭金属管（１）の一部（１Ｂ）は、軸心直交方向（ＧＨ）に延出する各金属支持板片（１２）〜（１５）で地中（ＣＨ）の砂礫等に支持され、スクリュ基礎杭（Ｙ）の軸心直交方向（ＧＨ：水平方向）の傾斜（倒れ込み）を規制できる。
これにより、スクリュ基礎杭（Ｙ）において、地中（ＣＨ）に埋設される杭頭ロック（Ｚ）によって、軸心直交方向（ＧＨ：水平方向）の耐力を向上できる
従って、スクリュ基礎杭（Ｙ）の軸心直交方向（ＧＨ：水平方向）の耐力は、杭頭ロック（Ｚ）で向上できるので、スクリュ基礎杭（Ｙ）において、ソーラパネル（図示しない）等を杭頭金属管（１）に設置しても、ソーラパネル（図示しない）等を水平に支持できる。
【００４５】
スクリュ基礎杭ユニット（Ｘ）、及び杭頭ロック（Ｚ）において、金属支持板片の数は４枚に限定されず、３枚又は５枚以上であっても良い。各金属支持板片は、金属円筒本体（１１）の軸心周りにおいて、均等配置することが好ましい。
【００４６】
杭頭ロック（Ｚ）において、金属円筒本体（１１）及び各金属支持板片（１２）〜（１５）は、全体を地中（ＣＨ）に埋設する他に、金属支持板片（１１）及び各金属支持板片（１２）〜（１５）の一部のみを地中（ＣＨ）に埋設することも採用できる。
【産業上の利用可能性】
【００４７】
本考案は、地中に埋設されるスクリュ基礎杭において、スクリュ基礎杭の水平方向（軸心直交方向）の耐力を向上するのに好適である。
【符号の説明】
【００４８】
Ｘ  スクリュ基礎杭ユニット
Ｙ  スクリュ基礎杭
Ｚ  杭頭ロック
１  杭頭金属管
１Ｄ  外周面
２  スクリュ金属平板
１１  金属円筒本体
１１Ａ  内周面
１２〜１５  金属支持板片
ＣＨ  地中
ＣＳ  地面
【図１】
0003181030.tif 000003
【図２】
0003181030.tif 000004
【図３】
0003181030.tif 000005
【図４】
0003181030.tif 000006
【図５】
0003181030.tif 000007
【図６】
0003181030.tif 000008
【図７】
0003181030.tif 000009
【図８】
0003181030.tif 000010
【図９】
0003181030.tif 000011
【図１０】
0003181030.tif 000012
【手続補正書】
【提出日】平成24年11月14日(2012.11.14)
【手続補正１】
【補正対象書類名】実用新案登録請求の範囲
【補正対象項目名】全文
【補正方法】変更
【補正の内容】
【実用新案登録請求の範囲】
【請求項１】
［Ａ］杭頭金属管、及び前記杭頭金属管の軸心方向の一端に連結されるスクリュ金属平板を有し、
前記杭頭金属管及び前記スクリュ金属平板を前記軸心方向に連続して配置するスクリュ基礎杭と、
［Ｂ］金属円筒本体、及び前記金属円筒本体の外周に形成され、前記金属円筒本体の軸心直交方向に延出する複数の金属支持板片を有し、
前記各金属支持板片を前記金属円筒本体の軸心周りに配置する杭頭ロックと、
を備え、
［Ｃ］前記スクリュ基礎杭は、
前記スクリュ金属平板を地中に捩じ込んで、前記スクリュ金属平板及び前記杭頭金属管の一部を前記地中に埋設すると共に、前記杭頭金属杭の一部以外を地面から突出し、
［Ｄ］前記杭頭ロックにおいて、
前記金属円筒本体は、前記杭頭金属管の外周に嵌め込まれ、前記地中に埋設されると共に、前記金属円筒本体の内周面を前記地中に埋設した前記杭頭金属管の外周面に当接し、
前記各金属支持板片は、
前記金属円筒本体の埋設に伴って、前記地中に埋設される
ことを特徴とするスクリュ基礎杭ユニット。
【請求項２】
［Ｈ］前記各金属支持板片は、
前記金属円筒本体の軸心周りにおいて、等角度を隔てて配置される
ことを特徴とする請求項１に記載のスクリュ基礎杭ユニット。
【請求項３】
［Ｉ］前記杭頭ロックは、
４枚の金属支持板片を有し、
［Ｊ］４枚の前記金属支持板片は、
前記金属円筒本体の外周に形成され、前記金属円筒本体の軸心直交方向に延出すると共に、
前記金属円筒本体の軸心周りにおいて、角度：９０°の間隔を隔てて配置される
ことを特徴とする請求項１又は２に記載のスクリュ基礎杭ユニット。
【請求項４】
杭頭金属管、及び前記杭頭金属管の軸方向の一端に連結されるスクリュ金属平板杭を有し、前記スクリュ金属平板及び前記杭頭金属管の一部を地中に埋設し、前記杭頭金属管の一部以外を地面から突出するスクリュ基礎杭において、
［ａ］金属円筒本体と、
［ｂ］前記金属円筒本体の外周に形成され、前記金属円筒本体の軸心直交方向に延出する複数の金属支持板片と、
を備え、
［ｃ］前記金属円筒本体は、
前記杭頭金属管の外周に嵌め込まれ、前記地中に埋設され、
金属円筒本体の内周面を前記地中に埋設した前記杭頭金属管の一部の外周面に当接し、
［ｄ］前記各支持板片は、
前記金属円筒本体の軸心周りに配置され、
前記金属円筒本体の埋設に伴って、前記地中に埋設される
ことを特徴とする杭頭ロック。
【請求項５】
［ｅ］前記各金属支持板片は、
前記金属円筒本体の軸心周りにおいて、等角度を隔てて配置される
ことを特徴とする請求項４に記載の杭頭ロック。
【請求項６】
［ｆ］４枚の金属支持板片を備え、
［ｇ］４枚の前記金属支持板片は、
前記金属円筒本体の外周に形成され、前記金属円筒本体の軸心直交方向に延出すると共に、
前記金属円筒本体の軸心周りにおいて、角度：９０°の間隔を隔てて配置される
ことを特徴とする請求項４又は５記載の杭頭ロック。